(57)【特許請求の範囲】
【請求項１】
タッチディスプレイ装置と、
患者の生体情報を計測する計測手段と、
前記タッチディスプレイ装置の表示を制御する制御手段と、を有し、
前記制御手段は、
前記計測した生体情報を、複数のレイアウトのうちの１つを用いて前記タッチディスプレイ装置の表示画面にリアルタイムに表示させ、
前記生体情報を第１のレイアウトで表示している際に、前記タッチディスプレイ装置に対して第１の操作がなされたことを検出すると、前記生体情報を前記第１のレイアウトで表示させながら、前記表示画面の一縁部に、複数のメニュー項目の予め定められた一部に対応する第１のメニュー画面を重畳表示させ、
前記第１のメニュー画面において、他のメニュー項目を含んだメニュー項目を選択する操作がなされたことを検出すると、前記生体情報を前記第１のレイアウトで表示させながら、前記他のメニュー項目を含んだ第２のメニュー画面を表示させ、
前記第１のメニュー画面または前記第２のメニュー画面において、他のメニュー項目を含まないメニュー項目を選択する操作が検出されると、
前記第１のメニュー画面および前記第２のメニュー画面のうち、表示中のメニュー画面の表示を終了させ、
前記生体情報を第２のレイアウトで表示させながら、
前記他のメニュー項目を含まないメニュー項目に対応する画面を、前記第１のレイアウトにおいて前記生体情報が表示されていた領域に表示させる、
ことを特徴とする生体情報計測装置。
【請求項２】
前記第１のメニュー画面および前記第２のメニュー画面が半透明であることを特徴とする請求項１に記載の生体情報計測装置。
【請求項３】
前記第１の操作が、接触位置を第１の方向に連続して、所定距離以上移動させる操作であることを特徴とする請求項１または請求項２に記載の生体情報計測装置。
【請求項４】
前記制御手段は、前記第１のメニュー画面を、前記表示画面の端部から前記第１の方向に出現するように表示させることを特徴とする請求項３に記載の生体情報計測装置。
【請求項５】
前記第２のレイアウトでは、前記第１のレイアウトよりも、前記生体情報の表示項目数が少ないか、表示項目あたりの表示領域が小さいことを特徴とする請求項１から請求項４のいずれか１項に記載の生体情報計測装置。
【請求項６】
前記第１のメニュー画面および前記第２のメニュー画面は、前記第２のレイアウトにおいて前記他のメニュー項目を含まないメニュー項目に対応する画面が表示される領域よりも小さいことを特徴とする請求項１から請求項５のいずれか１項に記載の生体情報計測装置。
【請求項７】
前記制御手段は、前記生体情報を前記第１のレイアウトで表示している際に、前記タッチディスプレイ装置に対して第２の操作がなされたことを検出すると、
前記生体情報を前記第１のレイアウトで表示させながら、前記表示画面の一縁部に、予め定められた機能が割り当てられた複数の選択可能な領域を有するユーザキーを表示させ、
前記第１のレイアウトにおいて、前記ユーザキーと重畳する領域については、前記生体情報の表示を行わない、
ことを特徴とする請求項１から請求項６のいずれか１項に記載の生体情報計測装置。
【請求項８】
前記第２の操作が、接触位置を第２の方向に連続して、所定距離以上移動させる操作であることを特徴とする請求項７に記載の生体情報計測装置。
【請求項９】
前記制御手段は、前記生体情報を前記第１のレイアウトで表示している際に、前記タッチディスプレイ装置に対して第３の操作がなされたことを検出すると、
前記生体情報を前記第１のレイアウトで表示させながら、予め定められた設定画面を重畳表示させ、
前記設定画面が半透明である、
ことを特徴とする請求項１から請求項８のいずれか１項に記載の生体情報計測装置。
【請求項１０】
前記第３の操作が、接触位置を第３の方向に連続して、所定距離以上移動させる操作であることを特徴とする請求項９に記載の生体情報計測装置。
【請求項１１】
前記制御手段は、前記生体情報を前記第１のレイアウトで表示している際に、前記タッチディスプレイ装置に対して第４の操作がなされたことを検出すると、
前記生体情報を前記第２のレイアウトで表示させながら、
前記他のメニュー項目を有さないメニュー項目に対応する画面が表示されるのと同じ領域に、予め定められた様式の、前記生体情報に関するレポートを表示させる、
ことを特徴とする請求項１から請求項１０のいずれか１項に記載の生体情報計測装置。
【請求項１２】
前記第４の操作が、接触位置を第４の方向に連続して、所定距離以上移動させる操作であることを特徴とする請求項１１に記載の生体情報計測装置。
【請求項１３】
前記生体情報計測装置が電池駆動可能な可搬型生体情報モニタであることを特徴とする請求項１から請求項１２のいずれか１項に記載の生体情報計測装置。
【請求項１４】
タッチディスプレイ装置と、
患者の生体情報を計測する計測手段と、
を有する生体情報計測装置の制御方法であって、
前記計測した生体情報を、複数のレイアウトのうちの１つを用いて前記タッチディスプレイ装置の表示画面にリアルタイムに表示させる工程と、
前記生体情報を第１のレイアウトで表示している際に、前記タッチディスプレイ装置に対して第１の操作がなされたことを検出すると、前記生体情報を前記第１のレイアウトで表示させながら、前記表示画面の一縁部に、階層構造を有するメニュー項目の最上位層に対応する第１のメニュー画面を重畳表示させる工程と、
前記第１のメニュー画面において、下位層のメニュー項目を有するメニュー項目を選択する操作がなされたことを検出すると、前記生体情報を前記第１のレイアウトで表示させながら、前記下位層に対応する第２のメニュー画面を表示させる工程と、
前記第１のメニュー画面または前記第２のメニュー画面において、下位層のメニュー項目を有さないメニュー項目を選択する操作が検出されると、
前記第１のメニュー画面および前記第２のメニュー画面のうち、表示中のメニュー画面の表示を終了させる工程と、
前記生体情報を第２のレイアウトで表示させながら、前記下位層のメニュー項目を有さないメニュー項目に対応する画面を、前記第１のレイアウトにおいて前記生体情報が表示されていた領域に表示させる工程と、
を有することを特徴とする生体情報計測装置の制御方法。
【請求項１５】
タッチディスプレイ装置と、患者の生体情報を計測する計測手段と、を有する生体情報計測装置が有する１つ以上のプロセッサに、請求項１４に記載の生体情報計測装置の制御方法の各工程を実行させるためのプログラム。
【発明の詳細な説明】
【技術分野】
【０００１】
本発明は生体情報計測装置およびその制御方法に関する。
【背景技術】
【０００２】
生体情報モニタやテレメータのような生体情報計測装置は、心電図、呼吸数、心拍数、血圧、体温、動脈血酸素飽和度（ＳｐＯ２）など、いわゆるバイタルサインの連続的な計測を行い、計測結果をリアルタイムに送信したり表示したりする装置である。生体情報計測装置には据え置き型のものと可搬型のものがあり、用途に応じていずれかが用いられるが、可搬型のものには据え置き型としても使用可能なものや、据え置き型のものの入力モジュールとして利用可能な構成を有するものもある（特許文献１）。
【先行技術文献】
【特許文献】
【０００３】
【特許文献１】特開２０１４−１３２９３１号公報
【発明の概要】
【発明が解決しようとする課題】
【０００４】
生体情報計測装置には様々な生体情報を計測したり、計測した生体情報の様々な様式で表示したり、計測した生体情報の異常を知らせたりする機能が備わっており、ユーザが設定したり指示したりすることが可能な項目は多岐に渡る。従前の生体情報計測装置は、設定や表示を行う項目を選択するためのメニューや、メニューで選択された項目に対応する画面の表示領域を、計測中の生体情報の表示領域を減らすことで確保していた。そのため、メニューや、メニューで選択された項目に対応する画面の表示中は、表示される生体情報の項目数が少なくなったり、表示項目あたりの領域が小さくなったりしていた。
【０００５】
図７は、従来の生体情報計測装置の一例としての可搬型生体情報モニタの表示画面の例であり、図７（ａ）が通常時、図７（ｂ）がメニュー表示時の例を示している。通常時の表示画面８００のレイアウト（第１のレイアウト）は、氏名、ＩＤ、性別といった患者情報や、日時情報といった書誌的な情報を表示する書誌情報領域８１０と、予め定めた生体信号の波形を表示する波形領域８２０と、生体情報の計測値を表示する計測値領域８３０と、割り当てられた機能をワンタッチで実現する、ボタン状の外観を有する選択可能な領域を複数有するユーザキーを表示するユーザキー領域８４０とから構成される。このように、通常時の表示に用いられる第１のレイアウトでは、生体情報モニタで最も重要な機能である、計測した生体情報のリアルタイム表示に用いるための波形領域８２０および計測値領域８３０が画面の大半を占めている。
【０００６】
例えば、図７（ａ）の状態で、ユーザキーに含まれるメニューボタン８４１に対する操作が検出されると、表示画面８００のレイアウトが、図７（ｂ）に示すようなメニュー表示時のレイアウト（第２のレイアウト）に変更される。第２のレイアウトは、書誌情報領域８１０とユーザキー領域８４０については第１のレイアウトと同じであるが、波形領域８２０’と計測値領域８３０’が小さくなり、メニュー領域８５０が新たに含まれている。
【０００７】
メニュー領域８５０には、選択可能なメニュー項目８５１が種類ごとに分類されて一覧表示され、いずれかのメニュー項目が選択されると、対応する画面（設定画面、レポート画面など）がメニュー領域８５０に表示される。例えば、種類「基本設定」に分類されているメニュー項目「音」に対する操作が検出されると、図８（ａ）に示すような、アラーム音などの音量や音色を設定するための画面がメニュー領域８５０に表示される。
【０００８】
メニュー表示時および、設定画面やレポート画面の表示時に用いられる第２のレイアウトでは、第１のレイアウトと比較して、波形領域８２０’については表示される波形の数や長さの少なくとも一方が、計測値領域８３０’については表示項目数および表示の大きさの少なくとも一方が、削減される。したがって、第２のレイアウトでは、第１のレイアウトよりも把握できる生体情報の数が減少したり、生体情報の視認性が低下したりする。そのため、不必要に第２のレイアウトを用いることは望ましくない。画面の小さな可搬型の生体情報計測装置ではなおさらである。
【０００９】
ユーザキーに特定の画面を呼び出す機能を設定しておくことで、メニュー表示をスキップすることはできる。しかし、全メニュー項目の各々に対応するユーザキーを設けると、ユーザキーの中から所望の項目を探す手間が増え、ユーザキーの使い勝手を低下させてしまう。また、ユーザキーの増加に対応してユーザキー領域を増やすと、生体情報の表示領域（波形領域３２０や計測値領域３３０）が減少してしまう。
【００１０】
本発明はこのような従来技術の課題に鑑みてなされたものであり、表示中の生体情報の視認性が、メニュー表示によって低下することを抑制可能な生体情報計測装置およびその制御方法の提供を目的とする。
【課題を解決するための手段】
【００１１】
上述の目的は、タッチディスプレイ装置と、患者の生体情報を計測する計測手段と、タッチディスプレイ装置の表示を制御する制御手段と、を有し、制御手段は、計測した生体情報を、第１のレイアウトまたは第２のレイアウトでタッチディスプレイ装置の表示画面にリアルタイムに表示させ、生体情報を第１のレイアウトで表示している際に、タッチディスプレイ装置に対して第１の操作がなされたことを検出すると、生体情報を第１のレイアウトで表示させながら、表示画面の一縁部に、複数のメニュー項目の予め定められた一部に対応する第１のメニュー画面を重畳表示させ、第１のメニュー画面において、他のメニュー項目を含んだメニュー項目を選択する操作がなされたことを検出すると、生体情報を第１のレイアウトで表示させながら、他のメニュー項目を含んだ第２のメニュー画面を表示させ、第１のメニュー画面または第２のメニュー画面において、他のメニュー項目を含まないメニュー項目を選択する操作が検出されると、第１のメニュー画面および第２のメニュー画面のうち、表示中のメニュー画面の表示を終了させ、生体情報を第２のレイアウトで表示させながら、他のメニュー項目を含まないメニュー項目に対応する画面を、第１のレイアウトにおいて生体情報が表示されていた領域に表示させる、ことを特徴とする生体情報計測装置によって達成される。
【発明の効果】
【００１２】
このような構成により、本発明によれば、表示中の生体情報の視認性が、メニュー表示によって低下することを抑制可能な生体情報計測装置およびその制御方法を提供できる。
【図面の簡単な説明】
【００１３】
【図１】本発明の実施形態に係る生体情報計測装置の一例としての生体情報モニタの機能構成例を示すブロック図である。
【図２】実施形態に係る生体情報モニタとドッキングステーションの外観例を示す斜視図である。
【図３】実施形態に係る生体情報モニタの画面表示例を示す図である。
【図４】実施形態に係る生体情報モニタの画面表示例を示す図である。
【図５】実施形態に係る生体情報モニタの表示処理動作を説明するためのフローチャートである。
【図６】実施形態に係る生体情報モニタの表示処理動作を説明するためのフローチャートである。
【図７】従来の生体情報モニタの画面表示例を示す図である。
【図８】（ａ）は従来の、（ｂ）は実施形態に係る生体情報モニタの画面表示例を示す図である。
【発明を実施するための形態】
【００１４】
以下、図面を参照して、本発明をその例示的な実施形態に基づいて詳細に説明する。以下では、本発明を生体情報計測装置の一例としての可搬型生体情報モニタに適用した実施形態について説明する。なお、ここでいう「可搬型」とは、電池駆動が可能であり、生体情報を計測しながら患者とともに移動させることが可能であることを意味する。また、本発明は据え置き型の生体情報計測装置にも適用可能である。
【００１５】
図１は、本発明の実施形態に係る可搬型生体情報モニタ１００と、可搬型生体情報モニタ１００を据え置き型のモニタ装置として用いるためのドッキングステーション（ベース部）２００の機能構成例を示すブロック図である。また、図２は、本実施形態の可搬型生体情報モニタ１００（以下、単に生体情報モニタという）とドッキングステーション２００の外観例を示す斜視図である。
【００１６】
生体情報モニタ１００は、各種のセンサや計測モジュールを接続可能な入力部１１０を有し、センサから逐次得られる生体信号を表示したり、異常を検出したりすることにより、患者の状態を常時監視するための装置である。生体情報モニタ１００は通常、重症患者など、バイタルサインを監視する必要がある患者に用いられるため、心電図、呼吸数、心拍数、血圧、体温、動脈血酸素飽和度（ＳｐＯ２）など、複数の生体情報を計測する機能を有する。
【００１７】
入力部１１０は、各種のセンサや計測モジュールを機械的および電気的に接続するコネクタやインターフェースを備える。本実施形態では例示として以下のセンサおよび計測モジュールが接続されているものとする。なお、入力部１１０に接続される計測モジュールによっては、双方向の通信が可能である。
【００１８】
心電電極１１１は患者の四肢および／または胸部表面の所定部位に装着される複数の電極からなり、装着部位に応じた誘導波形を検出する。心電電極１１１の数や種類は計測する誘導波形の数や種類により異なる。また、心電電極間に高周波の微弱な電流を通電して胸郭のインピーダンスを計測し、その変化から胸郭の動きを検出するインピーダンス方式により呼吸数を算出することができる。血圧トランスデューサ１１２は患者の血管内に挿入されたカテーテルの端部に取り付けられ、血圧を電気信号に変換する。
【００１９】
脈波・ＳｐＯ２センサ１１３はいわゆるパルスオキシメータであり、動脈血酸素飽和度（ＳｐＯ２）及び指尖容積脈波を光学的に検出して入力する。酸素と結びついているかどうかによってヘモグロビンの光の吸収度が異なること、また光の波長によっても吸収度が異なることを利用し、一般には赤色光と赤外光の２波長を用いて動脈血酸素飽和度を計測する。また、透過光又は反射光のＡＣ成分が血液量に応じて変化することから、このＡＣ成分を光学指尖容積脈波（ＰＴＧ:photoplethysmograph）として検出する。
【００２０】
体温センサ１１４は例えば患者に装着されたサーミスタ温度センサであり、温度に応じた抵抗値を示す。心拍出量センサ１１５は患者の血管内に留置したサーミスタ温度センサであり、血液温度を計測する。血液温度の時間変化から熱希釈曲線を求め、注入液温度とStewart-Hamilton の公式を応用した式から心拍出量（ＣＯ）を得ることができる。また、心拍出量と血圧値とから、血管抵抗（ＳＶＲ）を求めることができる。なお、心拍出量はインピーダンス法によって非侵襲的に求めてもよい。呼吸ガスセンサ１１６は呼気中の炭酸ガス（ＣＯ２）濃度を計測する。なお、図１に示した、入力部１１０に接続されるセンサおよびモジュールは単なる例示であって、他のものが含まれていてもよいし、図示したもののいくつかがなくてもよい。
【００２１】
非観血血圧計１１７はカフ、ポンプ、排気弁、圧力センサなどを有する。圧力センサの信号を取得することにより、オシロメトリック法によって非観血的に血圧を計測することができる。非観血血圧は連続的に計測できないため、予め定めた一定周期ごとに計測を実施する。非観血血圧計１１７の動作（ポンプおよび排気弁の動作）は入力部１１０を通じて制御部１４０が制御する。
【００２２】
前処理部１２０は、入力部１１０に入力した生体信号に対し、Ａ／Ｄ変換処理や電源ノイズ除去フィルタの適用など、信号に応じて予め定められた前処理を実行し、バッファメモリ１３０に保存する。前処理部１２０はＤＳＰやＡＳＩＣなどのハードウェアで構成してもよいし、制御部１４０によって少なくとも一部の機能をソフトウェアで実現してもよい。バッファメモリ１３０は信号の一時的な記憶や、制御部１４０のワークエリアやビデオメモリとして用いる。
【００２３】
制御部１４０は例えば中央処理装置（ＣＰＵ）などのプログラマブルプロセッサとＲＡＭ、ＲＯＭを有し、ＲＯＭに記憶されたプログラムをＲＡＭにロードしてＣＰＵで実行することにより、生体情報モニタ１００の動作を制御して全体的な機能を実現する。なお、ＲＯＭの少なくとも一部は書き換え可能であってよい。
【００２４】
外部インターフェース（Ｉ／Ｆ）１５０は、ドッキングステーション２００との通信インターフェースであり、装置の筐体に設けられたコネクタで直接、あるいはケーブルを介してドッキングステーション２００の外部インターフェース２２０と接続される。ドッキングステーション２００が接続されているか否か、ドッキングステーション２００から電源が供給されているか否かは、制御部１４０によって検出可能である。
【００２５】
アラームインジケータ１６０は制御部１４０により、機器の動作、生体信号の波形や数値などが予め定められた条件（アラーム設定）に規定された条件を満たすと判定された際に、例えば光や音によって警報を出力して報知するための１つ以上の出力デバイスである。アラームインジケータ１６０は、代表的には発光素子やスピーカであってよい。警報は重要度（レベル）によりレベル分けし、重要度に応じた警報を出力することができる。なお、警報はアラームインジケータ１６０だけでなく、タッチディスプレイ１７０に対するメッセージ表示などと組み合わせることもできる。制御部１４０は、例えば操作部１８０に対する所定の操作が検出されると警報の出力を停止する。
【００２６】
タッチディスプレイ１７０は、タッチパネルの機能を有する表示装置である。制御部１４０は予め定められたレイアウトにより、例えば心電波形、心拍数、体温、血圧値、呼吸数、呼吸波形、といった重要な生体情報をリアルタイムでタッチディスプレイ１７０に表示させる。また、制御部１４０は、操作部１８０の指示に応答して、タッチディスプレイ１７０に表示する内容および／またはレイアウトを変更する。
【００２７】
操作部１８０は電源スイッチをはじめとしたキー、スイッチ群であり、ユーザが生体情報モニタ１００に指示や情報の入力を行うことを可能にする。なお、スイッチやキーの少なくとも一部は、タッチディスプレイ１７０に設けられたタッチパネルと、制御部１４０によるＧＵＩ表示とを組み合わせたソフトウェアスイッチとして実現されてもよい。また、操作部１８０は外付けのキーやスイッチを含んでもよい。
【００２８】
無線通信部１９０は、生体情報モニタ１００が外部装置、例えばセントラルモニタ装置や、生体情報の計測を引き継ぐ別の生体情報計測装置に計測済みのデータや計測中に発生したイベントに関する情報を送信するために用いられる。無線通信に用いるプロトコルに特に制限は無く、例えばWi-Fi（ＩＥＥＥ８０２．１１ｘ）、Bluetooth（登録商標）、ＩｒＤＡ、ISO/IEC 18092などの近接無線通信（ＮＦＣ）プロトコルなどを用いることができる。また、認証処理にＮＦＣを利用し、認証処理後の通信をBluetoothやWi-Fiで行うBluetooth／Wi-Fiハンドオーバのように、複数の通信方法を組み合わせてもよい。なお、無線通信部１９０の代わりに（あるいは、無線通信部１９０に加えて）、同様の機能を実現するための有線通信部を有してもよい。
【００２９】
なお、図示した構成以外にも、メモリカードを取り扱うための構成（メモリカードスロットなど）、プリンタ（レコーダ）などを有してもよい。また、生体情報モニタ１００は電池駆動可能であるが、ドッキングステーション２００と接続されている状態では、外部Ｉ／Ｆ１５０を通じてドッキングステーション２００から電源の供給を受けることができる。外部Ｉ／Ｆ１５０を通じて電源を供給されている場合、生体情報モニタ１００は外部Ｉ／Ｆ１５０からの電源で動作し、また内蔵電池の充電を行う。
【００３０】
このような構成を有する生体情報モニタ１００では、例えば操作部１８０を通じて電源が投入されると、入力部１１０を通じて入力される生体信号に対する処理を開始する。具体的には、前処理部１２０がＡ／Ｄ変換等を行って各種の生体信号を計測データとしてバッファメモリ１３０に保存し始める。そして、制御部１４０は、バッファメモリ１３０に保存された計測データについて、各種パラメータの算出処理、表示処理、評価処理や異常判定処理などを開始する。また、制御部１４０は、バッファメモリ１３０から記憶部１９５に計測データを転送したり、予め設定されたイベント発生時には、その時点における計測データなど予め定められた情報をイベントと関連付けて記憶部１９５に保存したりする。制御部１４０はさらに、計測された生体信号を解析して所定の様式のレポートを生成し、要求に応じて表示させる。レポートには様々なものがあるが、生体信号の経時変化やイベントの発生などを把握するのに役立つトレンド表示はレポートの代表例である。
【００３１】
ドッキングステーション２００は、生体情報モニタ１００の記憶部１９５に保存されたデータを読み出し、セントラルモニタやサーバ装置のような、生体情報モニタ１００や患者に関するデータを管理するための外部装置に送信するための機能を提供する。ドッキングステーション２００は、生体情報モニタ１００が計測状態で接続されていれば、計測データをリアルタイムで外部装置に出力する。
【００３２】
外部Ｉ／Ｆ２２０は生体情報モニタ１００を接続するための通信インターフェースである。また、外部Ｉ／Ｆ２００は、接続された生体情報モニタ１００に電源を供給するためにも用いられる。したがって、ドッキングステーション２００は生体情報モニタ１００の外部電源でもある。バッファメモリ２４０は外部Ｉ／Ｆ２２０を通じて受信した計測データを一時的に保存するために用いられたり、制御部２１０のワークエリアとして用いられたりする。制御部２１０は例えば中央処理装置（ＣＰＵ）などのプログラマブルプロセッサとＲＡＭ、ＲＯＭを有し、ＲＯＭに記憶されたプログラムをＲＡＭにロードしてＣＰＵで実行することにより、ドッキングステーション２００の動作を制御して全体的な機能を実現する。なお、ＲＯＭの少なくとも一部は書き換え可能であってよい。
【００３３】
操作部２３０は電源スイッチをはじめとしたキー、スイッチ群である。生体情報モニタ１００が接続されている場合、生体情報モニタ１００の操作部１８０の一部の機能を無効とし、操作部２３０の操作を有効とすることができる。
通信部２５０は病院内のネットワークに接続され、ネットワーク上の外部装置と通信するために用いられる。通信部２５０は有線通信部でも無線通信部でもよい。
バス２６０はドッキングステーション２００の構成要素間を相互接続する。
【００３４】
図２（ａ）は生体情報モニタ１００の外観例を示す斜視図であり、図１と同じ構成要素には同じ参照数字を付してある。
図２（ｃ）に示すように、ドッキングステーション２００には生体情報モニタ１００を装着するための空間が設けられている。生体情報モニタ１００は、右側面下部に設けられた外部Ｉ／Ｆ１５０のコネクタを、ドッキングステーション２００の外部Ｉ／Ｆ２２０のコネクタに直接嵌合させることによりドッキングステーション２００に装着することができる。なお、不用意に生体情報モニタ１００が外れないよう、外部Ｉ／Ｆ２２０のコネクタだけでなく、生体情報モニタ１００とドッキングステーション２００の筐体同士も嵌合するように構成されている。図２（ｂ）は、生体情報モニタ１００をドッキングステーション２００に接続した状態を示している。
【００３５】
次に、本実施形態の生体情報モニタ１００における表示制御動作について、図３〜図６を用いて説明する。
【００３６】
図５（ａ）は、生体情報モニタ１００の計測時の動作の概要を示すフローチャートである。生体情報モニタ１００は、患者の生体信号の計測を常時行い、計測値に基づく所定の情報をリアルタイムに表示する（Ｓ１０）。
【００３７】
図３（ａ）は本実施形態の生体情報モニタ１００の通常時におけるタッチディスプレイ１７０の表示画面３００のレイアウト（第１のレイアウト）の例を示している。第１のレイアウトは、ＩＤ、性別といった患者情報や、日時情報といった書誌的な情報を表示する書誌情報領域３１０と、予め定めた生体信号の波形を表示する波形領域３２０と、生体情報の計測値を表示する計測値領域３３０とから構成される。従来と異なり、ユーザキー用の固定表示領域は存在しない。
【００３８】
制御部１４０は、Ｓ１０で計測動作および通常時の表示を行いながら、タッチディスプレイ１７０に対する操作を監視する。そして、予め定められた第ｎの操作が検出されたかどうかを判定する（Ｓ２０）。ここで、ｎは自然数であり、本実施形態では１〜４のいずれかであるものとする。また、第ｎの操作がどのような操作であるか、第ｎの操作が検出された際にどのような動作を実行するかについては予め設定されて記憶部１９５に記憶されているものとする。
【００３９】
したがって、Ｓ２０で制御部１４０は、予め定められた第１〜第４の操作のいずれかを検出したかどうかを判定し、いずれも検出されなければ処理をＳ１０に戻して計測処理および通常時の表示処理を継続する。一方、予め定められた第１〜第４の操作のいずれかを検出したと判定されれば、制御部１４０は処理をＳ３０に進めて、検出した操作に対する処理を実行し、終了したら処理をＳ１０に戻す。
【００４０】
ここで、第１のメニュー画面３４０の表示指示に相当する第１〜第４の操作は、タッチ操作として検出可能な任意の操作であってよいが、所定のＧＵＩをタップする操作ではなく、ジェスチャーのように、接触位置を所定のパターンで移動させる操作とする。これにより、ＧＵＩの表示領域を不要とすることができる。本実施形態では一例として、第１〜第４の操作は例えば、接触位置を互いに異なる第１〜第４の方向に連続して、所定距離以上移動させる操作（第１〜第４の方向へのスワイプ操作）とする。本実施形態では一例として、第１〜第４の方向はそれぞれ画面に向かって右方向、上方向、下方向、左方向とする。なお、他のジェスチャ（特定パターンの軌跡）の入力、複数の接触位置の関係が所定の条件を満たす操作、などを第１〜第４の操作として検出してもよい。以下、第１〜第４の操作のそれぞれが検出された場合の処理について具体的に説明する。
【００４１】
Ｓ２０で制御部１４０がタッチディスプレイ１７０に対して第１の操作（右方向へのスワイプ操作）がなされたことを検出した場合、制御部１４０は図５（ｂ）に示す第１の操作に対する表示処理を実行する。本実施形態では第１の操作はメニュー画面の表示に関連付けられているものとする。
【００４２】
Ｓ１１０で制御部１４０は、第１のメニュー画面をタッチディスプレイ１７０の表示画面の一縁部に表示させる。図３（ｂ）に、第１のメニュー画面３４０を表示画面の左縁部に重畳表示させた場合の例を示す。この際、第１のメニュー画面を、表示画面の端部から第１の方向に出現するようにスクロール表示させてもよい。
【００４３】
第１のメニュー画面３４０は、生体情報モニタ１００において選択可能なメニュー項目の一部である。具体的には、予め選択された、使用頻度が高いメニュー項目や、他のメニュー項目には内包されないメニュー項目である。本実施形態では、第１のメニュー画面に含まれるメニュー項目を、最上位層のメニュー項目と呼び、メニュー項目Ａに内包される他のメニュー項目を、メニュー項目Ａの下位層のメニュー項目と呼ぶ。また、メニュー項目Ｂを内包するメニュー項目を、メニュー項目Ｂの上位層のメニュー項目と呼ぶ。このように、本実施形態では、メニュー項目を階層構造またはツリー構造とし、制御部１４０は、まず最上位層に対応する（最上位層のメニュー項目のみを含んだ）第１のメニュー画面３４０だけを表示させる。
【００４４】
メニュー項目のうち、下位層のメニュー項目を内包するメニュー項目については、それを示す指標（ここでは一例として右向きの三角形）が付与されている。また、制御部１４０は、クローズボタン３５０をメニュー画面３４０に隣接して表示させる。
【００４５】
本実施形態では、メニュー画面を表示する際に、通常時のレイアウト（第１のレイアウト）が用いられていても、レイアウトを変更しない。そして、１つのメニュー画面に含めるメニュー項目数を絞り込むことで、１つのメニュー画面の大きさが、波形領域３２０よりも十分小さくなるようにしている。したがって、第１の操作が検出されて第１のメニュー画面３４０が表示されても、第１のメニュー画面３４０によって隠される波形領域３２０の範囲は、波形領域や計測値領域の大部分を置き換えてメニュー画面を最初から表示する従来の構成（図７（ｂ））よりもずっと小さい。したがって、第１のメニュー画面３４０の表示中も、計測値領域３３０の全てと、波形領域３２０の大半は視認可能であり、第１のメニュー画面３４０が表示されない通常時からの視認性の低下は大幅に抑制される。さらに、第１のメニュー画面３４０が表示されても第１のレイアウトが維持されるため、計測値領域３３０の大きさおよび表示内容は不変であり、計測値領域３３０の視認性は第１のメニュー画面３４０の表示によって低下しない。
【００４６】
Ｓ１１２で制御部１４０は、第１のメニュー画面３４０に含まれるメニュー項目のいずれかを選択する操作（例えばタップ操作）が検出されたか判定し、検出されたと判定されればＳ１１４に、検出されたと判定されなければＳ１２４に処理を進める。
【００４７】
Ｓ１１４で制御部は、選択されたメニュー項目が、第１のメニュー画面３４０に含まれるメニュー項目のうち、下位層のメニュー項目を含むメニュー項目（図３（ｂ）の例では「患者入退床」以外）か判定する。そして、下位層のメニュー項目を含むメニュー項目が選択されたと判定されればＳ１１６に、判定されなければＳ１１８に処理を進める。
【００４８】
Ｓ１１６で制御部１４０は、下位層のメニュー項目を含んだメニュー画面（以下、下位層のメニュー画面と呼ぶ）を表示する。本実施形態では、下位層のメニュー画面を、選択されたメニュー項目を含むメニュー画面に隣接した位置に表示させる。また、制御部１４０は、クローズボタン３５０の表示位置を、下位層のメニュー画面に隣接する位置に変更させる。例えば、図３（ｂ）の状態で第１のメニュー画面３４０のメニュー項目「セットアップ」を選択する操作が検出されたとする。この場合、制御部１４０は図３（ｃ）に示すように、「セットアップ」の下位層のメニュー項目を含む第２のメニュー画面３４５を、「セットアップ」を含む第１のメニュー画面３４０に隣接して表示させる。第２のメニュー画面３４５の大きさは、第１のメニュー画面３４０の大きさと等しい。
【００４９】
なお、下位層のメニュー画面は上位層のメニュー画面に隣接して表示させなくてもよい。例えば、下位層のメニュー画面を、上位層のメニュー画面を置換するように表示してもよい。あるいは、上位層のメニュー画面と一部が重複するように表示してもよい。この場合、メニューの階層構造を把握したり、階層間をダイレクトに移動したりする機能を維持しながら、メニュー画面全体が占める領域を削減することができる。
【００５０】
図３（ｃ）から分かるように、第２のメニュー画面３４５が追加表示されても、依然として波形領域３２０の視認性は維持されている。また、計測値領域３３０の視認性は通常時と変わらない。なお、第２のメニュー画面３４５において他のメニュー項目を含むメニュー項目が選択されれば、同様に第３のメニュー画面が表示され、以後、メニューの階層構造に応じて下位層のメニュー画面が順次表示される。下位層のメニュー画面を表示すると、制御部１４０は、処理をＳ１１２に戻す。
【００５１】
このように、必要に応じて順次メニュー画面を表示する構成とすることで、生体情報を表示するための領域にメニュー画面が重畳する範囲をできるだけ小さくするようにして、生体情報に関する表示の視認性の低下を抑制している。また、副次的な効果として、各メニュー画面に表示されるメニュー項目数が、網羅的にメニュー項目が配置される従来のメニュー画面より少ないため、メニュー画面から所望のメニュー項目を探すことが容易になる。
【００５２】
一方、下位層のメニュー項目を含まないメニュー項目が選択された場合、Ｓ１１８で制御部１４０は、全てのメニュー画面の表示を終了する。そして、Ｓ１２０で制御部１４０は、表示画面のレイアウトを第２のレイアウトに変更する。具体的には、制御部１４０は、波形領域３２０が配置されていた領域をメニュー領域３６０に割り当てる。また、制御部１４０は計測値領域３３０’の項目数を減らし、空いた領域に波形領域３２０’を配置する。第２のレイアウトでは、第１のレイアウトより表示可能な波形の数および区間長の少なくとも一方が減少するとともに、計測値の表示項目および表示サイズの少なくとも一方も減少する。第２のレイアウトの例として、第２のメニュー画面３４５からメニュー項目「音」の選択操作が検出された際に表示される設定画面の例を図８（ｂ）に示す。
【００５３】
なお、本実施形態では、第１のレイアウトにおける波形領域３２０全体をメニュー領域３６０に割り当てているが、一部を割り当ててもよい。また、第１のレイアウトにおける計測値領域３３０の少なくとも一部をメニュー領域に割り当ててもよい。つまり、第２のレイアウトにおいては、第１のレイアウトにおいて生体情報に関する表示が行われていた領域の一部がメニュー領域に割り当てられる。
【００５４】
次にＳ１２２で制御部１４０は、選択されたメニュー項目に対応する画面（設定画面、計測値を特定の様式で表示する画面（レポート）、計測値領域３３０に表示されていない計測値を表示する画面など）を、メニュー領域３６０に表示する。その後は、メニュー領域３６０に表示した画面に応じた処理を実行し、第１の操作に対する表示処理を終了する。
【００５５】
一方、Ｓ１１２で第１のメニュー画面３４０に含まれるメニュー項目のいずれかを選択する操作が検出されたと判定されなければ、Ｓ１２４で制御部１４０は、メニュー画面の表示終了の条件を満たしているか否かを判定する。メニュー画面の終了条件としては、クローズボタン３５０に対する所定の操作（例えばタップ操作）が検出されること、第１の操作と逆の操作とみなすことのできる操作を検出したこと、メニュー画面に対する操作が一定時間検出されないこと、などであってよいが、これらに限定されない。第１の操作と逆の操作とみなすことのできる操作は、例えば、第１の方向とは逆の方向へのスワイプ動作であってよい。
【００５６】
メニュー画面の表示終了の条件を満たしていると判定された場合、Ｓ１２６で制御部１４０はメニュー画面の表示を全て終了させ、処理を終了する。メニュー画面の表示終了の条件を満たしていないと判定された場合、制御部１４０は処理をＳ１１２に戻す。
【００５７】
このように、本実施形態では、メニュー項目を階層構造またはツリー構造とし、まずメニュー構造の最上位層に対応するメニュー画面だけを表示させる。そして、その後は選択されたメニュー項目に応じて、下位層に対応するメニュー画面または選択されたメニュー項目に対応する画面（設定画面など）を表示させる。このように、１つのメニュー画面に含めるメニュー項目を絞り込むことで、個々のメニュー画面を小さくすることができる。さらに、必要なメニュー項目だけを含んだメニュー画面を表示することができるため、メニュー画面の表示領域を必要最小限にとどめることができる。そのため、波形領域３２０のような計測中の生体情報の表示領域の視認性が、メニュー画面の表示によって低下することを抑制できる。
【００５８】
したがって、メニュー項目を網羅的に表示するメニュー画面を表示する従来技術とは異なり、画面のレイアウトを変更してメニュー画面の表示領域を確保する必要がない。そのため、メニュー画面の表示が直ちに表示できる生体情報の項目数や表示サイズの減少につながることがない。
【００５９】
さらに、図３（ｂ）および（ｃ）に示すように、メニュー画面を半透明とすることにより、メニュー画面が重畳する領域の表示内容をメニュー画面越しに視認することが可能になり、視認性の低下をさらに抑制することができる。
【００６０】
一方、Ｓ２０で制御部１４０がタッチディスプレイ１７０に対して予め定められた第２の操作（上方向へのスワイプ操作）がなされたことを検出した場合、制御部１４０は図６（ａ）に示す第２の操作に対する表示処理を実行する。本実施形態では第２の操作はユーザキーの表示に関連付けられているものとする。
【００６１】
まずＳ２１０で制御部１４０は、表示画面のレイアウトを変更する。本実施形態では、第２の操作が検出されるとユーザキーを表示するが、ユーザキー４１０が波形領域３２０に重畳する位置に表示される場合、Ｓ２１０で制御部１４０は波形領域３２０の大きさを変更してもよい。例えばユーザキー４１０が重畳される領域を波形領域３２０から除外することができる。これは、ユーザキー４１０はメニュー画面３４０と異なり、長時間表示される場合がありうるからである。
【００６２】
次にＳ２１２で制御部１４０は、図４（ａ）に示すように、ユーザキー４１０を表示画面の一縁（ここでは左縁）に重畳表示させる。ユーザキー４１０は、いわゆるショートカットキーの集合であり、ボタン状の外観を有する選択可能な複数の領域の各々には、選択された際に実行させる機能が割り当てられている。各領域に割り当てる機能はユーザが指定することが可能である。
【００６３】
特に可搬型生体情報モニタのように表示画面が小さい生体情報計測装置においては、ユーザキー４１０を固定表示するより、波形領域３２０や計測値領域３３０を大きくした方がよい場合がある。そのため、指示（第２の操作）があった場合のみユーザキー４１０を表示する構成としている。
【００６４】
Ｓ２１４で制御部１４０は、ユーザキー４１０のいずれかを選択する操作が検出されたか判定し、検出されたと判定されればＳ２１６に、検出されたと判定されなければＳ２２４に処理を進める。
Ｓ２１６で制御部１４０は、選択されたユーザキーに割り当てられた機能を実行し、処理を終了する。
【００６５】
Ｓ２１４でユーザキーのいずれかを選択する操作が検出されたと判定されなければ、Ｓ２２４で制御部１４０は、メニュー画面の表示終了の条件を満たしているか否かを判定する。メニュー画面の終了条件としては、操作部１８０に含まれる所定のハードウェアキーまたはハードウェアボタンの操作が検出されたこと、第２の操作と逆の操作とみなすことのできる操作を検出したこと、ユーザキー４１０に対する操作が一定時間検出されないこと、などであってよいが、これらに限定されない。第２の操作と逆の操作とみなすことのできる操作は、例えば、第２の方向とは逆の方向へのスワイプ動作であってよい。
【００６６】
ユーザキー４１０の表示終了の条件を満たしていると判定された場合、Ｓ２２６で制御部１４０はユーザキー４１０の表示を終了させ、処理を終了する。ユーザキー４１０の表示終了の条件を満たしていないと判定された場合、制御部１４０は処理をＳ１１２に戻す。
【００６７】
一方、Ｓ２０で制御部１４０がタッチディスプレイ１７０に対して予め定められた第３の操作（下方向へのスワイプ操作）がなされたことを検出した場合、制御部１４０は図６（ｂ）に示す第３の操作に対する表示処理を実行する。
【００６８】
Ｓ３１０で制御部１４０は、表示画面のレイアウトの変更を要する画面が第３の操作に関連づけられているか否かを判定し、必要なら表示画面のレイアウトを変更する。本実施形態では、第３の操作に非観血血圧計測（ＮＩＢＰ）を実行する時間間隔の設定画面が関連づけられているものとする。本実施形態では、ＮＩＢＰを実行する時間間隔の設定画面の表示はレイアウト変更不要な（重畳表示する）画面であるものとする。したがって、制御部１４０はＳ３１０でのレイアウト変更は行わない。
【００６９】
Ｓ３１２で制御部１４０は、第３の操作に関連づけられた画面を表示する。表示は半透明または不透明での重畳表示か、後述するように、通常時の波形領域３２０を置き換えるような表示であってよいが、これらに限定されない。制御部１４０は、図４（ｂ）に示すように、ＮＩＢＰの実行タイミングの設定画面４２０を半透明で重畳表示させる。
【００７０】
Ｓ３１４で制御部１４０は、Ｓ３１２で表示した画面について何らかの選択操作が検出されたか判定し、検出されたと判定されればＳ３１６に、検出されたと判定されなければＳ３２４に処理を進める。
【００７１】
Ｓ３１６で制御部１４０は、選択操作が検出された領域に対応する機能を実行し、処理をＳ３２６に進める。例えば図４（ｂ）の例では、選択された領域に対応する時間間隔で非観血血圧計測を実行することを設定する。
【００７２】
Ｓ３１４で選択操作が検出されたと判定されなければ、Ｓ３２４で制御部１４０は、画面の表示終了の条件を満たしているか否かを判定する。画面の終了条件としては、操作部１８０に含まれる所定のハードウェアキーまたはハードウェアボタンの操作が検出されたこと、第３の操作と逆の操作とみなすことのできる操作を検出したこと、表示画面に対する操作が一定時間検出されないこと、などであってよいが、これらに限定されない。第３の操作と逆の操作とみなすことのできる操作は、例えば、第３の方向とは逆の方向へのスワイプ動作であってよい。第３の操作に関連づけられた画面の表示終了の条件を満たしていると判定された場合、制御部１４０は処理をＳ３２６に進める。一方、第３の操作に関連づけられた画面の表示終了の条件を満たしていないと判定された場合、制御部１４０は処理をＳ１１２に戻す。
【００７３】
Ｓ３２６で制御部１４０は第３の操作に関連づけられた画面の表示を終了させ、処理を終了する。この際、制御部１４０は、Ｓ３１０でレイアウト変更していればもとのレイアウトに復帰させる。
【００７４】
Ｓ２０で制御部１４０がタッチディスプレイ１７０に対して予め定められた第４の操作（左方向へのスワイプ操作）がなされたことを検出した場合、制御部１４０は第４の操作に対する表示処理を実行する。なお、第４の操作に対する表示処理は、第３の操作に対する表示処理と同様でよいため、説明を省略する。本実施形態において第４の操作はトレンド画面の表示に関連付けられているものとする。
【００７５】
図４（ｃ）に、本実施形態で第４の操作によって表示されるトレンド画面４３０の表示例を示す。トレンド画面４３０は表示画面のレイアウトの変更が必要で、かつ不透明な画面であるものとする。したがってＳ３１０で制御部１４０は画面のレイアウトを第２のレイアウトに変更する。なお、図４（ｃ）に示す、トレンド表示時の第２のレイアウトと、図８（ｂ）に示す、設定画面表示時の第２のレイアウトとは、波形領域３２０’および計測値領域３３０’の構成が異なる。このように、第２のレイアウトにおける波形領域３２０’および計測値領域３３０’の構成は、設定により変更することができる。
【００７６】
少なくとも第２〜第４の操作には、画面（表示動作）が関連付けられなくてもよい。また、操作に関連付ける動作はユーザが変更できるように構成してもよい。何らかの表示動作を関連付ける場合、表示時に用いる画面のレイアウトや、重畳表示するか否か、半透明で表示するか否かなどの情報を、表示内容に関連づけて予め登録しておくことができる。そのため、制御部１４０は、表示が指示された画面に関連づけられたレイアウトが現在のレイアウトと異なる場合、レイアウトを変更してから画面表示を行う。なお、本実施形態では説明および理解を容易にするため、主に２種類の画面レイアウトを用いる構成について説明したが、より多くの画面レイアウトを用いてもよい。
【００７７】
以上説明したように本実施形態によれば、選択可能なメニュー項目のうち、一部のメニュー項目だけを含んだメニュー画面だけをまず表示させる。そしてその後は、選択されたメニュー項目に応じて、必要な場合だけ、さらなるメニュー項目を含んだメニュー画面または選択されたメニュー項目に対応する画面（設定画面など）を表示させる。これにより、患者の生体情報を計測しながらリアルタイムで表示する生体情報計測装置において、メニュー表示時における生体情報の視認性の低下を抑制することが可能となる。
【００７８】
また、メニュー画面の表示を、ＧＵＩを必要としないタッチ操作（ここではスワイプ操作）で指示できるようにしたため、メニュー画面を表示するためのＧＵＩを表示する領域を必要としない。そのため、可搬型の生体情報モニタのように画面の小さな生体情報計測装置において特に有利である。さらに、それぞれ異なるタッチ操作を、メニュー画面の表示以外の動作を呼び出すために利用すれば、より使い勝手を向上させることができる。
【００７９】
（他の実施形態）
本発明は、上述の実施形態に係る処理を、システム又は装置のコンピュータにおける１つ以上のプロセッサによって実施させるプログラムとしても実現可能である。したがって、このようなプログラムや、プログラムを記録したコンピュータ可読記録媒体もまた本発明を構成する。また、上述の実施形態に係る処理を、ハードウェア（例えばＡＳＩＣやプログラマブルロジックなど）を用いて実施することもできる。
【符号の説明】
【００８０】
１００…生体情報モニタ、１１０…入力部、１２０…前処理部、１３０…バッファメモリ、１４０，２１０…制御部、１７０…表示部、１８０…操作部、２００…ドッキングステーション
【図１】
0006624882.tif 000002
【図２】
0006624882.tif 000003
【図３】
0006624882.tif 000004
【図４】
0006624882.tif 000005
【図５】
0006624882.tif 000006
【図６】
0006624882.tif 000007
【図７】
0006624882.tif 000008
【図８】
0006624882.tif 000009